【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】  第１局と、第２局と、前記第１局と前記第２局を結合する衛星リンクとを有する通信システムにおいて、信号の電力レベルを制御する方法であって、前記通信システムは前記第１局と前記第２局間に少なからぬ伝搬遅延を有し、前記方法は前記信号が前記第２局から前記第１局へと前記衛星リンクを介して送信される場合の前記信号の受信電力レベルを測定するステップと、
前記第１局において電力制御コマンドを発生させるステップと、
前記電力制御コマンドを前記第１局から前記第２局へと送信するステップとを備え、
前記電力制御コマンドの発生ステップは、前記受信電力レベルと、所望の電力レベルと、前記第１局から前記第２局へと送られた少なくとも１つの以前の電力制御コマンドの関数として前記電力制御コマンドを発生させる方法。
【請求項２】  前記電力制御コマンドの発生ステップは、前記受信電力レベルと、前記所望の電力レベルと、前記第１局から前記第２局へと送られたが、前記第２局によってまだ受信されていない、少なくとも１つの以前の電力制御コマンドの関数として前記電力制御コマンドを発生させる、請求項１に記載の方法。
【請求項３】  更に、前記第２局において前記第１局からの前記電力制御コマンドを受信するステップを備える、請求項１に記載の方法。
【請求項４】  前記電力制御コマンドの発生ステップは、前記受信電力レベルと、前記所望の電力レベルと、前記第１局から前記第２局へと送られ、前記第２局によって受信された、少なくとも１つの以前の電力制御コマンドの関数として前記電力制御コマンドを発生させる、請求項１に記載の方法。
【請求項５】  更に、前記第２局において調整された信号を作り出すために、前記電力制御コマンドに応答して前記信号の送信電力レベルを調整するステップを備える、請求項３に記載の方法。
【請求項６】  前記電力制御コマンドの発生ステップは、前記受信電力レベルと、前記所望の電力レベルと、前記第１局から前記第２局へと送られ、前記第２局において前記調整された信号をまだ作り出していない、少なくとも１つの以前の電力制御コマンドの関数として前記電力制御コマンドを発生させる、請求項５に記載の方法。
【請求項７】  更に前記第２局から前記第１局へと前記調整された信号を送信するステップを備える、請求項５に記載の方法。
【請求項８】  前記電力制御コマンドの発生ステップは、前記受信電力レベルと、前記所望の電力レベルと、前記第１局から前記第２局へと送られ、前記調整された信号を作り出したがその信号がまだ前記第１局によって受信されていない、少なくとも１つの以前の電力制御コマンドの関数として前記電力制御コマンドを発生させる、請求項７に記載の方法。
【請求項９】  前記調整ステップは、
前記電力制御コマンドに応答して、固定された量だけ前記送信電力レベルを調整するステップを備える、請求項５に記載の方法。
【請求項１０】  前記調整ステップは、
前記第２局に前記送信電力レベルを上昇させるように命令する電力制御コマンドに応答して、第１の固定量だけ前記送信電力レベルを上昇させるステップと、
前記第２局に前記送信電力レベルを低下させるように命令する電力制御コマンドに応答して、第２の固定量だけ前記送信電力レベルを低下させるステップとを備える請求項５に記載の方法。
【請求項１１】  前記第１の固定量と前記第２の固定量とが等しい、請求項１０に記載の方法。
【請求項１２】  第１局と、第２局と、前記第１局と前記第２局を結合する衛星リンクとを有する衛星通信システムにおいて、信号の電力レベルを制御するシステムであって、前記システムは、
前記信号が前記第２局から前記第１局へと前記衛星リンクを介して送信される場合の前記信号の受信電力レベルを測定する手段と、
前記第１局において電力制御コマンドを発生させる手段と、
前記電力制御コマンドを前記第１局から前記第２局へと送信する手段とを備え、
前記電力制御コマンドの発生手段は、前記受信電力レベルと、所望の電力レベルと、前記第１局から前記第２局へと送信された少なくとも１つの以前の電力制御コマンドの関数として前記電力制御コマンドを発生させるシステム。
【請求項１３】  前記電力制御コマンドの発生手段は、前記受信電力レベルと、前記所望の電力レベルと、前記第１局から前記第２局へと送られたが、前記第２局によってまだ受信されていない少なくとも１つ以前の電力制御コマンドの関数として前記電力制御コマンドを発生させる、請求項１２に記載のシステム。
【請求項１４】  更に、前記第２局において前記第１局から前記電力制御コマンドを受信する手段を備える、請求項１２に記載のシステム。
【請求項１５】  前記電力制御コマンドの発生手段は、前記受信電力レベルと、前記所望の電力レベルと、前記第１局から前記第２局へと送られ、前記第２局によって受信された、少なくとも１つの以前の電力制御コマンドの関数として前記電力制御コマンドを発生させる、請求項１２に記載のシステム。
【請求項１６】  更に、前記第２局において調整された信号を作り出すために、前記電力制御コマンドに応答して前記信号の送信電力レベルを調整する手段を備える、請求項１４に記載のシステム。
【請求項１７】  前記電力制御コマンドの発生手段は、前記受信電力レベルと、前記所望の電力レベルと、前記第１局から前記第２局へと送られたが、前記第２局において前記調整された信号をまだ作り出していない、少なくとも１つの以前の電力制御コマンドの関数として前記電力制御コマンドを発生させる、請求項１６に記載のシステム。
【請求項１８】  更に前記第２局から前記第１局へと前記調整された信号を送信する手段を備える、請求項１６に記載のシステム。
【請求項１９】  前記電力制御コマンドの発生手段は、前記受信電力レベルと、前記所望の電力レベルと、前記第１局から前記第２局へと送られ、前記調整された信号を作り出したがその信号がまだ前記第１局によって受信されていない、少なくとも１つの以前の電力制御コマンドの関数として前記電力制御コマンドを発生させる、請求項１８に記載のシステム。
【請求項２０】  前記調整手段は、
前記電力制御コマンドに応答して、固定された量だけ前記送信電力レベルを調整する手段を備える、請求項１６に記載のシステム。
【請求項２１】  前記調整手段は、
前記第２局に前記送信電力レベルを上昇させるように命令する電力制御コマンドに応答して、第１の固定量だけ前記送信電力レベルを上昇させる手段と、
前記第２局に前記送信電力レベルを低下させるように命令する電力制御コマンドに応答して、第２の固定量だけ前記送信電力レベルを低下させる手段と、
を備える請求項１６に記載のシステム。
【請求項２２】  前記第１の固定量と前記第２の固定量とが等しい、請求項２１に記載のシステム。
【請求項２３】  第１局と、第２局と、前記第１局と前記第２局を結合する衛星リンクとを有し、前記送信された信号は前記第１局と前記第２局間の伝搬遅延を被る衛星通信システムにおいて、送信された信号の電力レベルを制御する装置であって、前記装置は、
前記第１局に置かれ、前記第２局から前記第１局へと送信された信号の受信電力レベルを測定するための電力レベル検出器と、
前記第１局に置かれ、前記第２局にその送信電力を調整するように指示する電力制御コマンドを発生させる補償器と、
前記第１局から前記第２局に前記電力制御コマンドを送り出すための送信機とを備え、
前記補償器は前記受信電力レベルと、所望の電力レベルと、前記第１局から前記第２局へと送信された少なくとも１つの保留中の電力制御コマンドの関数として前記電力制御コマンドを発生させる装置。
【請求項２４】  前記補償器は、
前記第１局から前記第２局へと送信された保留中の電力制御コマンドを蓄積する保留コマンドアキュムレータと、
前記保留コマンドアキュムレータの出力によって調整された前記受信電力レベルを前記所望の電力レベルと比較して、前記電力制御コマンドを決定するコンパレータとを備える、請求項２３に記載の装置。
【請求項２５】  前記保留コマンドアキュムレータは、前記第１局から前記第２局へと送られたが、前記第２局によってまだ受信されていない前記保留中の電力制御コマンドを蓄積する、請求項２４に記載の装置。
【請求項２６】  前記保留コマンドアキュムレータは、前記第１局から前記第２局へと送信されたが、前記第２局から送られる調整された信号をまだ作り出していない前記保留中の電力制御コマンドを蓄積する、請求項２４に記載の装置。
【請求項２７】  前記保留コマンドアキュムレータは、前記第１局から前記第２局へと送られ、前記第２局から前記第１局へと送られる調整された信号を作り出したが、その信号がまだ前記第１局によって受信されていない前記保留中の電力制御コマンドを蓄積する、請求項２４に記載の装置。
【請求項２８】  前記保留コマンドアキュムレータは、前記補償器に関連する伝搬遅延とループ反復時間に基づいて、前記第１局から前記第２局へと送られる、多数の保留中の電力制御コマンドを蓄積する、請求項２４に記載の装置。
【請求項２９】  第１局と、第２局と、前記第１局と前記第２局を結合する衛星リンクとを有する通信システムにおいて、信号に関連するパラメータを制御する方法であって、前記通信システムは前記第１局と前記第２局間に少なからぬ伝搬遅延を有し、前記方法は、
前記信号が前記第２局から前記第１局へと前記衛星リンクを介して送信される場合の前記信号のパラメータを測定するステップと、
前記第１局において制御コマンドを発生させるステップと、
前記制御コマンドを前記第１局から前記第２局へと送信するステップとを備え、
前記制御コマンドの発生ステップは、前記測定されたパラメータと、前記パラメータに対する所望のレベルと、前記第１局から前記第２局へと送られた少なくとも１つの以前の制御コマンドの関数として前記制御コマンドを発生させる方法。
【請求項３０】  前記制御コマンドの発生ステップは、前記測定されたパラメータと、前記パラメータに対する前記所望のレベルと、前記第１局から前記第２局へと送られたが前記第２局によってまだ受信されていない、少なくとも１つの以前の制御コマンドの関数として前記制御コマンドを発生させる、請求項２９に記載の方法。
【請求項３１】  更に、前記第２局において前記第１局からの前記制御コマンドを受信するステップを備える、請求項２９に記載の方法。
【請求項３２】  前記制御コマンドの発生ステップは、前記測定されたパラメータと、前記パラメータに対する前記所望のレベルと、前記第１局から前記第２局へと送られ、前記第２局によって受信された、少なくとも１つの以前の制御コマンドの関数として前記制御コマンドを発生させる、請求項２９に記載の方法。
【請求項３３】  更に、前記第２局において調整された信号を作り出すために、前記制御コマンドに応答して前記信号のパラメータを調整するステップを備える、請求項３１に記載の方法。
【請求項３４】  前記制御コマンドの発生ステップは、前記測定されたパラメータと、前記パラメータに対する前記所望のレベルと、前記第１局から前記第２局へと送られ、前記第２局において前記調整された信号をまだ作り出していない、少なくとも１つの以前の制御コマンドの関数として前記制御コマンドを発生させる、請求項３３に記載の方法。
【請求項３５】  更に前記第２局から前記第１局へと前記調整された信号を送信するステップを備える、請求項３３に記載の方法。
【請求項３６】  前記制御コマンドの発生ステップは、前記測定されたパラメータと、前記パラメータに対する前記所望のレベルと、前記第１局から前記第２局へと送られ、前記調整された信号を作り出したがその信号がまだ前記第１局によって受信されていない、少なくとも１つの以前の制御コマンドの関数として前記制御コマンドを発生させる、請求項３５に記載の方法。
【請求項３７】  前記調整ステップは、
前記制御コマンドに応答して、固定された量だけ前記パラメータレベルを調整するステップを備える、請求項３３に記載の方法。
【請求項３８】  前記調整ステップは、
前記第２局に前記パラメータレベルを上昇させるように命令する制御コマンドに応答して、第１の固定量だけ前記パラメータレベルを上昇させるステップと、
前記第２局に前記パラメータレベルを低下させるように命令する制御コマンドに応答して、第２の固定量だけ前記パラメータレベルを低下させるステップとを備える請求項３３に記載の方法。
【請求項３９】  前記第１の固定量と前記第２の固定量とが等しい、請求項３８に記載の方法。
【請求項４０】  信号はスペクトル拡散通信システムにおける通信信号である、請求項２９に記載の方法。